(57)【特許請求の範囲】
【請求項１】
放電針が設けられた矩形状の第１電極と、
平面視において前記第１電極の長手方向と前記第１電極の前記放電針が設けられた部分において略直交するように配置された矩形状の第２電極と、
前記第１電極の長手方向について前記放電針の両側において前記第１電極を支持する２つの第１支持部と、
前記第２電極の長手方向について前記第１電極との交差部分の両側において前記第２電極を支持する２つの第２支持部とを備えており、
２つの前記第１支持部が、平面視において、２つの前記第２支持部を結ぶ直線と直交し且つ２つの前記第２支持部をそれぞれ通る２本の直線の間に配置されており、
２つの前記第１支持部の離間距離が、２つの前記第２支持部の離間距離よりも短く、
前記第１電極と前記第２電極との間に電圧が印加されることで活性種を生成することを特徴とする活性種生成装置。
【請求項２】
請求項１に記載の活性種生成装置を備えた空気調和機の室内機。
【発明の詳細な説明】
【技術分野】
【０００１】
本発明は、活性種生成装置およびこれを備えた空気調和機の室内機に関するものである。
【背景技術】
【０００２】
従来から、放電を利用して電子やラジカル等の活性種を生成する活性種生成装置が知られている。活性種は、空気中に含まれる有害成分や臭気成分を分解する能力を有しており、活性種生成装置は、空気清浄機や空気調和機などに備えられている。
【０００３】
例えば特許文献１に記載のストリーマ放電ユニット（活性種生成装置）は、放電針が設けられた矩形状の放電電極板と、矩形状であって長手方向が一致するように放電電極板に対向配置されたアース板とを有する。放電電極板およびアース板は、それぞれ、両端部において２つの絶縁支柱で支持されている。４つの絶縁支柱は同一面に一直線上に配置されている。
【先行技術文献】
【特許文献】
【０００４】
【特許文献１】特開２００７−２１５９８５号公報
【発明の概要】
【発明が解決しようとする課題】
【０００５】
しかしながら、特許文献１のストリーマ放電ユニットでは、２枚の電極板（放電電極板とアース板）の長手方向と、隣接する電極板用の絶縁支柱とアース板用の絶縁支柱との沿面距離の方向とが一致している。そのため、沿面放電が生じない沿面距離を確保するには、電極板の長さを長くする必要がある。したがってストリーマ放電ユニットを小型化することは困難であった。
【０００６】
そこで、本発明は、小型化が可能な活性種生成装置およびこれを備える空気調和機の室内機を提供することを目的とする。
【課題を解決するための手段】
【０００７】
上記課題を解決するために、第１の発明に係る活性種生成装置は、放電針が設けられた矩形状の第１電極と、平面視において前記第１電極の長手方向と前記第１電極の前記放電針が設けられた部分において略直交するように配置された矩形状の第２電極と、前記第１電極の長手方向について前記放電針の両側において前記第１電極を支持する２つの第１支持部と、前記第２電極の長手方向について前記第１電極との交差部分の両側において前記第２電極を支持する２つの第２支持部とを備えており、２つの前記第１支持部が、平面視において、２つの前記第２支持部を結ぶ直線と直交し且つ２つの前記第２支持部をそれぞれ通る２本の直線の間に配置されており、２つの前記第１支持部の離間距離が、２つの前記第２支持部の離間距離よりも短く、前記第１電極と前記第２電極との間に電圧が印加されることで活性種を生成することを特徴とする。
【０００８】
この活性種生成装置では、第１電極と第２電極が交差するように配置されており、第１電極を支持する２つの第１支持部が、平面視において、第２電極を支持する２つの第２支持部を結ぶ直線に直交し且つ２つの第２支持部を通る２直線の間に配置されているため、第１支持部と第２支持部との間の沿面距離を十分確保しつつ、平面視において２つの第１支持部と２つの第２支持部が一直線上に配置されている場合に比べて、２つの第２支持部を結ぶ直線方向について活性種生成装置を小型化できる。
【０００９】
【００１０】
この活性種生成装置では、２つの第１支持部を結ぶ直線方向について活性種生成装置が大型化するのを防止できる。
【００１１】
【００１２】
この活性種生成装置では、第１電極と第２電極とが略直交しているため、第１支持部と第２支持部と間の沿面距離を全て同じにすることができる。したがって、全ての沿面距離を必要最低限の距離にすることができるため、第１電極と第２電極との絶縁性を確保しつつ、活性種生成装置をより小型化できる。
【００１３】
第２の発明に係る空気調和機の室内機は、第１の発明に係る活性種生成装置を備えることを特徴とする。
【００１４】
この空気調和機の室内機では、小型化可能な活性種生成装置を備えているため、設計の自由度が向上する。
【発明の効果】
【００１５】
以上の説明に述べたように、本発明によれば、以下の効果が得られる。
【００１６】
第１の発明では、第１電極と第２電極が交差するように配置されており、第１電極を支持する２つの第１支持部が、平面視において、第２電極を支持する２つの第２支持部を結ぶ直線に直交し且つ２つの第２支持部を通る２直線の間に配置されているため、第１支持部と第２支持部との間の沿面距離を十分確保しつつ、平面視において２つの第１支持部と２つの第２支持部が一直線上に配置されている場合に比べて、２つの第２支持部を結ぶ直線方向について活性種生成装置を小型化できる。
【００１７】
第１の発明では、２つの第１支持部を結ぶ直線方向について活性種生成装置が大型化するのを防止できる。
【００１８】
第１の発明では、第１電極と第２電極とが略直交しているため、第１支持部と第２支持部と間の沿面距離を全て同じにすることができる。したがって、全ての沿面距離を必要最低限の距離にすることができるため、第１電極と第２電極との絶縁性を確保しつつ、活性種生成装置をより小型化できる。
【００１９】
第２の発明では、小型化可能な活性種生成装置を備えているため、設計の自由度が向上する。
【図面の簡単な説明】
【００２０】
【図１】本発明の実施形態に係る室内機の斜視図である。
【図２】図１のＡ−Ａ線断面図である。
【図３】前面パネルが開いた状態の室内機の斜視図である。
【図４】ストリーマ放電ユニットを外した状態の室内機の斜視図である。
【図５】ストリーマ放電ユニットの斜視図である。
【図６】（ａ）はストリーマ放電ユニットの平面図であって、（ｂ）は（ａ）のＢ−Ｂ線における一部省略断面図であり、（ｃ）は（ａ）のＣ−Ｃ線における一部省略断面図である。
【図７】（ａ）はカバーを外した状態のストリーマ放電ユニットの平面図であって、（ｂ）は（ａ）のＤ矢視図である。
【図８】（ａ）はストリーマ放電ユニットのフレームの平面図であって、（ｂ）は（ａ）のＥ矢視図である。
【図９】本発明の他の実施形態に係る活性種生成装置の概略平面図である。
【図１０】（ａ）は本発明の他の実施形態に係る活性種生成装置の概略平面図であって、（ｂ）は（ａ）を図中の下方から視た図である。
【発明を実施するための形態】
【００２１】
以下、本発明の実施形態に係る空気調和機の室内機１について説明する。
【００２２】
図１に示すように、本実施形態の室内機１は、全体として一方向に細長い形状を有しており、その長手方向が水平となるように室内の壁面に据え付けられるものである。室内機１は、図示しない室外機と共に空気調和機を構成しており、室内の冷暖房を行う。なお、以下の説明において、室内機１が取り付けられる壁から突出する方向を「前方」と称し、その反対の方向を「後方」と称する。また、図１中の左右方向を単に「左右方向」と称する。
【００２３】
図２に示すように、室内機１は、ケーシング１０と、このケーシング１０内に収容される本体部２０およびストリーマ放電ユニット（活性種生成装置）３０を有している。
【００２４】
図２および図３に示すように、ケーシング１０は、後方が開口した略直方体状の箱状に形成されている。ケーシング１０は、前面に開口部１１ｃを有するグリル１１と、グリル１１の開口部１１ｃを開閉する前面パネル１２とを有している。図１および図２に示すように、グリル１１の天井部には、吸込口１１ａが形成されている。吸込口１１ａは、室内機１の長手方向に長い複数のスリット状の開口である。また、図２に示すように、前面パネル１２の上端部には、吸込口１２ａが形成されている。吸込口１１ａと吸込口１２ａを合わせて吸込口１０ａとする。また、グリル１１の下部には、吹出口１１ｂが形成されている。吹出口１１ｂは、左右方向に長い矩形状の開口である。
【００２５】
図２に示すように、本体部２０は、ファン２１と、熱交換器２２と、２つの防塵フィルタ（図示省略）と、ストリーマ放電ユニット３０が取り付けられる取付部２３と、水平羽根２４とを備えている。
【００２６】
ファン２１は、その軸方向が左右方向に沿うように配置されている。ファン２１は、上前方の空気を吸い込んで、下方に吹き出すようになっている。熱交換器２２は、ファン２１の上方と前方を取り囲むように配置されている。
【００２７】
水平羽根２４は、吹出口１１ｂの近傍に配置されている。水平羽根２４は、吹出口１１ｂから吹き出される空気流の上下方向の風向きを変更すると共に、吹出口１１ｂの開閉を行う。
【００２８】
２つの防塵フィルタ（図示省略）は、グリル１１内において吸込口１０ａに近接する位置に左右に並んで配置されている。防塵フィルタは、通過する空気中に含まれる比較的大きな埃等を捕捉するために設けられている。右側の防塵フィルタが配置される左右方向の範囲は、図３に示す範囲Ａ１であり、ストリーマ放電ユニット３０が配置される左右方向の範囲を含んでいる。左側の防塵フィルタが配置される左右方向の範囲は、図３に示す範囲Ａ２である。範囲Ａ１と範囲Ａ２の左右方向の長さはほぼ同じである。
【００２９】
図３に示すように、取付部２３は、グリル１１内の右側部分に配置されている。図２に示すように、取付部２３は、吸込口１０ａの前側部分と熱交換器２２との間に配置されている。図３および図４に示すように、取付部２３は、下向きに開口した開口部２３ａを有しており、ストリーマ放電ユニット３０は、前面パネル１２を開いた状態で、この開口部２３ａから取付部２３内に挿抜される。
【００３０】
ストリーマ放電ユニット３０（活性種生成装置）は、取付部２３に着脱可能に取り付けられている。図２に示すように、ストリーマ放電ユニット３０は、熱交換器２２の前側の傾斜面２２ａと平行に配置される。以下のストリーマ放電ユニット３０の説明において、ストリーマ放電ユニット３０が取付部２３に取り付けられた状態での上下方向、前後方向および左右方向を、単に上下方向、前後方向および左右方向と称する。
【００３１】
図５および図６に示すように、ストリーマ放電ユニット３０は、略矩形状のフレーム４０と、フレーム４０の前側に取り付けられるカバー５０と、フレーム４０とカバー５０との間に配置される放電部３１と、フレーム４０の後側に取り付けられる矩形板状の脱臭フィルタ６０とを有している。図６に示すように、放電部３１は、略矩形状の放電電極板（第１電極）３２と、放電電極板３２に設けられた放電針３４と、放電電極板よりも長い矩形状の対向電極板（第２電極）３５とを有している。なお、図６（ｂ）と図６（ｃ）は、フレーム４０の一部と脱臭フィルタ６０を省略して表示している。
【００３２】
図５および図８に示すように、フレーム４０は、矩形状の外枠部４１と、外枠部４１の内側に配置された略板状の台座部４３と、この台座部４３に設けられた第１支持柱（第１支持部）４４ａ、４４ｂおよび第２支持柱（第２支持部）４５ａ、４５ｂを有している。フレーム４０は、絶縁性合成樹脂材料で形成されている。
【００３３】
図５に示すように、外枠部４１の四隅には、１／４円形状の孔４１ａが形成されている。この孔４１ａの後方には、１／４円形状の保持部４２ａが設けられている。保持部４２ａは、後述する保持部４２ｂ、４２ｃと共に、外枠部４１の前面部との間に脱臭フィルタ６０を保持する。外枠部４１の左右両辺の中央部と上辺の中央部には、半円形状の孔４１ｂが形成されており、この孔４１ｂの後方には、半円形状の保持部４２ｂが設けられている。また、図６（ａ）に示すように、外枠部４１の下辺には、２つの半円形状の保持部４２ｃが設けられている。
また、図５および図６（ｃ）に示すように、外枠部４１の前側部分には、空気を通過させるための連通孔４１ｄが形成されている。
【００３４】
図６（ｂ）および図８に示すように、台座部４３には、空気を通過させるための複数の円形孔４３ａが形成されている。
【００３５】
図６（ｂ）および図６（ｃ）に示すように、第１支持柱４４ａ、４４ｂおよび第２支持柱４５ａ、４５ｂは、台座部４３から略前方（詳細には、台座部４３に直交する方向）に突出している。第１支持柱４４ａ、４４ｂおよび第２支持柱４５ａ、４５ｂは、円柱状であって、内部にネジ孔を有している。第１支持柱４４ａ、４４ｂには、ネジ４６ａ、４６ｂによって放電電極板３２が固定されており、第２支持柱４５ａ、４５ｂには、ネジ４７ａ、４７ｂによって対向電極板３５が固定されている。
【００３６】
図６（ｃ）に示すように、第１支持柱４４ａ、４４ｂの台座部４３からの突出長さは、互いに同じである。また、図６（ｂ）に示すように、第２支持柱４５ａ、４５ｂの台座部４３からの突出長さは、互いに同じであって、第１支持柱４４ａ、４４ｂよりも長い。
【００３７】
図８（ａ）に示すように、第１支持柱４４ａ、４４ｂは、フレーム４０左右方向の略中央において、上下方向に離れて配置されている。また、第２支持柱４５ａ、４５ｂは、フレーム４０の上下方向の略中央において、左右方向に離れて配置されている。また、第１支持柱４４ａ、４４ｂの中間の位置と、第２支持柱４５ａ、４５ｂの中間の位置は、ほぼ一致している。
【００３８】
また、図６（ｂ）に示すように、第２支持柱４５ａ、４５ｂの中間の位置には、放電針３４が配置されている。２つの第２支持柱４５ａ、４５ｂの離間距離は、放電電極板３２と対向電極板３５との間に所定の電圧が印加されたときに、第２支持柱４５ａ、４５ｂと放電針３４との間で放電が生じないような距離に設定されている。また、２つの第１支持柱４４ａ、４４ｂの離間距離は、２つの第２支持柱４５ａ、４５ｂの離間距離よりも短い。
【００３９】
また、第１支持柱４４ａ、４４ｂと第２支持柱４５ａ、４５ｂとの沿面距離（台座部４３の前面の凹凸に沿った距離）Ｄ１〜Ｄ４（図８（ａ）参照）は、放電電極板３２と対向電極板３５との間に所定の電圧が印加されたときに、第１支持柱４４ａ、４４ｂと第２支持柱４５ａ、４５ｂとの間で沿面放電が生じないような距離に設定されている。
【００４０】
放電電極板３２は、長手方向一端（図７（ａ）中の下端）近傍において第１支持柱４４ｂに固定されており、長手方向他端（図７（ａ）中の上端）から若干離れた位置において第１支持柱４４ａに固定されている。図６（ａ）に示すように、放電電極板３２の上端部３２ａは、カバー５０の外に露出している。
【００４１】
図７（ａ）に示すように、放電電極板３２の第１支持柱４４ａ、４４ｂの中間位置には、放電針保持部３３が設けられている。図７（ｂ）に示すように、放電針保持部３３は、放電電極板３２から台座部４３に直交する方向に突出している。放電針保持部３３の先端部は折り返されており、この折り返し部分に放電針３４が挟み込まれている。放電針３４は、両端部が放電針保持部３３から突出している。放電針３４は、線径が例えば０．２ｍｍのタングステン線で構成されている。なお、本実施形態では、放電針３４は、平面視において放電電極板３２の長手方向と直交する向きに配置されているが、対向電極板３５の長手方向と直交する向きに配置されていてもよい。
【００４２】
対向電極板３５は、長手方向一端（図７（ａ）中の左端）近傍において第２支持柱４５ａに固定されており、長手方向他端（図７（ａ）中の右端）から若干離れた位置において第２支持柱４５ｂに固定されている。したがって、対向電極板３５は、平面視において放電電極板３２と直交するように対向配置されている。また、図６（ａ）に示すように、対向電極板３５の右端部３５ａは、カバー５０の外に露出している。
【００４３】
図２に示すように、放電電極板３２の上端部３２ａは、本体部２０に設けられた本体接続部２５と挟持部２６との間に挿抜可能に配置され、本体接続部２５に電気的に接続されている。本体接続部２５は電源部（図示省略）の正極側に接続されている。
また、図示は省略するが、対向電極板３５の右端部は、本体部２０に設けられたアース接続部に電気的に接続されている。アース接続部（図示省略）は電源部（図示省略）の負極側（アース側）に接続されている。
【００４４】
放電電極板３２と対向電極板３５との間に電圧が印加されると、放電針３４の両端から対向電極板３５に向かってストリーマ放電が発生し、これにより、低温プラズマが生成される。この低温プラズマによって、高速電子、イオン、水酸化ラジカル、励起酸素分子などの活性種が生成される。これらの活性種は、アンモニア類や、アルデヒド類、窒素酸化物等の小さな有機分子からなる空気中の有害成分や臭気成分を分解する能力を有する。
【００４５】
図５および図６に示すように、カバー５０は、台座部４３の前方に配置されている。カバー５０は、絶縁性合成樹脂材料で形成されており、後方が開口した箱体である。カバー５０は、下方に突出する突出部５５を有している。図６（ｂ）および図６（ｃ）に示すように、カバー５０と台座部４３との間に形成される空間５１（以下、放電空間５１という）内に、放電部３１は配置されている。
【００４６】
また、図５に示すように、カバー５０の右側面５２には、切欠部５２ａが形成されている。この切欠部５２ａから、対向電極板３５の右端部３５ａがカバー５０の外に突出している。また、図６（ａ）および図６（ｃ）に示すように、カバー５０の上面５３の左右方向中央部には、切欠部５３ａが形成されている。この切欠部５３ａから、放電電極板３２の上端部３２ａがカバー５０の外に突出している。
【００４７】
図６（ａ）に示すように、カバー５０の上面５３には、空気を通過させるための複数の円形孔５３ｂが形成されている。また、図６（ｂ）に示すように、カバー５０の下面５４には、空気を通過させるための複数の円形孔５４ａが形成されている。また、図６（ｃ）に示すように、カバー５０の突出部５５は、外枠部４１に形成された連通孔４１ｄと対応する位置に、開口部５５ａを有している。
【００４８】
脱臭フィルタ６０は、外枠部４１の内周面とほぼ同じ大きさの矩形板状に形成されている。上述したように、脱臭フィルタ６０は、外枠部４１と保持部４２ａ、４２ｂ、４２ｃとの間に保持されている。脱臭フィルタ６０は、例えばハニカム構造の基材の表面に吸着剤とプラズマ触媒とを担持させたものである。吸着剤は、空気中の臭気成分や有害成分を吸着するものであって、具体的には、ゼオライトや活性炭が用いられる。プラズマ触媒は、放電部３１で生成した活性種を活性化させて、有害成分や臭気成分の分解を促進させるものであって、具体的には、マンガン系触媒や貴金属系触媒などが用いられる。
【００４９】
次に、室内機１の動作について説明する。
ファン２１を駆動させることにより、吸込口１０ａからケーシング１０内に空気が吸い込まれる。吸込口１０ａの左側部分から吸い込まれた空気は、左側の防塵フィルタ（図示省略）を通過した後、熱交換器２２を通過して熱交換されて、その後、ファン２１を通過して吹出口１１ｂから吹き出される。
【００５０】
また、吸込口１０ａの右側部分から吸い込まれた空気は、右側の防塵フィルタ（図示省略）を通過する。右側の防塵フィルタを通過した空気の一部は、開口部２３ａから取付部２３内に流入した後、フレーム４０の連通孔４１ｄやカバー５０の開口部５５ａや円形孔５４ａを通って、放電空間５１に流入する。
【００５１】
放電空間５１内では、放電針３４と対向電極板３５との間でストリーマ放電が生じ、これにより、活性種が生成される。放電空間５１内の空気は、カバー５０の円形孔５３ｂや台座部４３の円形孔４３ａを通って、放電空間５１から放出された後、脱臭フィルタ６０を通過する。その後、熱交換器２２とファン２１を通過して吹出口１１ｂから吹き出される。
【００５２】
放電空間５１から放出された空気が脱臭フィルタ６０を通過する際、空気中の有害成分や臭気成分が脱臭フィルタ６０に吸着されるため、空気が脱臭および除菌される。また、この空気中に含まれる活性種は、プラズマ触媒によって活性化されると共に、脱臭フィルタ６０に吸着された有害成分や臭気成分を分解する。これにより、脱臭フィルタ６０は吸着性能が再生される。
【００５３】
また、右側の防塵フィルタ（図示省略）を通過した空気の残りは、ストリーマ放電ユニット３０を通過せずに、熱交換器２２とファン２１を通過して吹出口１１ｂから吹き出される。
【００５４】
以上説明した本実施形態のストリーマ放電ユニット３０では、放電電極板３２と対向電極板３５が直交するように対向配置されている。そのため、放電電極板と対向電極板とが長手方向が一致するように対向配置され、且つ、２つの第２支持柱の間に２つの第１支持柱が配置されている場合と比較すると、第１支持部と第２支持部との間の沿面距離が同じであっても、放電電極板の長手方向に関して、２つの第１支持柱の離間距離の分だけ放電部３１を短くできる。
また、放電電極板と対向電極板とが長手方向が一致するように対向配置され、且つ、２つの第１支持柱の間に２つの第２支持柱が配置されている場合と比較すると、第１支持部と第２支持部との間の沿面距離が同じであっても、放電電極板の長手方向に関して、隣接する第１支持柱と第２支持柱との距離の分だけ放電部３１を短くできる。
このように、電極板を支持する４つの支持部が一直線上に配置されている場合に比べて、放電電極板３２の長手方向についてストリーマ放電ユニット３０を小型化できる。その結果、ストリーマ放電ユニット３０の配置の自由度が向上するため、室内機１の設計の自由度が向上する。
【００５５】
また、２つの第１支持柱４４ａ、４４ｂの離間距離は、２つの第２支持柱４５ａ、４５ｂの離間距離よりも短い。そのため、２つの第１支持部４４ａ、４４ｂを結ぶ直線方向について、ストリーマ放電ユニット３０が大型化するのを防止できる。
【００５６】
また、放電電極板３２と対向電極板３５とが直交しているため、第１支持部４４ａ、４４ｂと第２支持部４５ａ、４５ｂと間の沿面距離Ｄ１〜Ｄ４（図８（ａ）参照）を全て同じにすることができる。したがって、沿面距離Ｄ１〜Ｄ４を必要最低限の距離にすることができるため、放電電極板３２と対向電極板３５との絶縁性を確保しつつ、直交していない場合に比べてストリーマ放電ユニット３０をより小型化できる。
【００５７】
また、左右に並んで配置された２つの防塵フィルタ（図示省略）のうち右側の防塵フィルタは、左右方向においてストリーマ放電ユニット３０が配置される範囲を含む範囲（図３中の範囲Ａ１）に配置される。そのため、２つの防塵フィルタの左右方向長さは、ストリーマ放電ユニット３０の左右方向長さに依存しており、ストリーマ放電ユニットの左右方向長さが長すぎると、左右の防塵フィルタの左右方向長さを同じにすることができない。本実施形態では、ストリーマ放電ユニット３０を左右方向において小型化できるため、左右の防塵フィルタの左右方向長さ（図３中の範囲Ａ１、Ａ２の長さ）を同じにすることができる。
【００５８】
また、本実施形態では、放電針３４は、平面視において放電電極板３２の長手方向と直交する向きに配置されている。そのため、放電針３４が対向電極板３５の長手方向と直交する向きに配置されている場合に比べて、放電電極板３２の長手方向長さを短くできる。
また、放電針３４が対向電極板３５の長手方向と直交する向きに配置されている場合には、本実施形態に比べて、対向電極板３５の長手方向長さを短くできる。
【００５９】
以上、本発明の実施の形態について説明したが、本発明の具体的な構成は、上記実施形態に限定されるものでないと考えられるべきである。本発明の範囲は、上記実施形態の説明だけではなく特許請求の範囲によって示され、さらに特許請求の範囲と均等の意味および範囲内でのすべての変更が含まれる。なお、後述する変更形態は、適宜組み合わせて実施することも可能である。
【００６０】
上記実施形態では、放電電極板３２と対向電極板３５とは平面視において直交しているが、参考例として、図９に示すように、放電電極板１３２を支持する第１支持部１４４ａ、１４４ｂが、平面視において、対向電極板１３５を支持する第２支持部１４５ａ、１４５ｂを結ぶ直線Ｌ１と直交し且つ第２支持部１４５ａ、１４５ｂをそれぞれ通る２本の直線Ｌ２、Ｌ３の間に配置されていれば、放電電極板１３２と対向電極板１３５とは、平面視において９０°以外の角度で交差していてもよい。この構成であっても、放電電極板と対向電極板とが長手方向が一致するように対向配置されている場合に比べて、対向電極板１３５の長さを短くできる。この場合、放電針１３４は、放電電極板１３２における対向電極板１３５との交差部分に設けられる。また、第１支持部１４４ａと第２支持部１４５ａ、１４５ｂとの沿面距離、および、第１支持部１４５ｂと第２支持部１４５ａ、１４５ｂとの沿面距離は、沿面放電が生じない距離に設定されている。
なお、放電電極板と対向電極板とがなす角度は、７０°〜１１０°が好ましく、８０°〜１００°がより好ましい。
【００６１】
上記実施形態では、第１支持柱４４ａ、４４ｂと第２支持柱４５ａ、４５ｂは、台座部４３から突出しているが、この構成に限定されない。例えば図１０に示すように、第１支持柱２４４ａ、２４４ｂおよび第２支持柱２４５ａ、２４５ｂが、連結部２４８ａ、２４８ｂ、２４８ｃ、２４８ｄで連結されると共に、放電電極板２３２と対向電極板２３５との間に配置された構成であってもよい。この場合、第１支持柱２４４ａ、２４４ｂと第２支持柱２４５ａ、２４５ｂの沿面距離は、連結部２４８ａ、２４８ｂ、２４８ｃ、２４８ｄの表面に沿った距離である。
【００６２】
上記実施形態では、ストリーマ放電ユニット３０のフレーム４０に脱臭フィルタ６０が取り付けられているが、この構成に限定されない。脱臭フィルタ６０を取り付けるためフレームが、ストリーマ放電ユニット３０のフレーム４０と別体であってもよい。
【００６３】
室内機１におけるストリーマ放電ユニット３０の配置位置は、ファン２１によって吸い込まれた空気が通過する位置であれば、上記実施形態の位置に限定されない。
【００６４】
上記実施形態のストリーマ放電ユニット３０では、ストリーマ放電によって活性種を生成しているが、グロー放電やバリア放電で活性種を生成してもよい。
【００６５】
上記実施形態では、活性種生成装置を空気調和機の室内機に適用した一例を説明したが、本発明の活性種生成装置は、空気清浄機など空気調和機の室内機以外の装置にも適用可能である。
【産業上の利用可能性】
【００６６】
本発明を利用すれば、活性種生成装置を小型化することができる。
【符号の説明】
【００６７】
１  空気調和機の室内機
３０  ストリーマ放電ユニット（活性種生成装置）
４４ａ、４４ｂ  第１支持柱（第１支持部）
４５ａ、４５ｂ  第２支持柱（第２支持部）
３２  放電電極板（第１電極）
３４  放電針
３５  対向電極板（第２電極）
【図１】
0005182344.tif 000002
【図２】
0005182344.tif 000003
【図３】
0005182344.tif 000004
【図４】
0005182344.tif 000005
【図５】
0005182344.tif 000006
【図６】
0005182344.tif 000007
【図７】
0005182344.tif 000008
【図８】
0005182344.tif 000009
【図９】
0005182344.tif 000010
【図１０】
0005182344.tif 000011